(57)【要約】【課題】同期整流素子を安定して駆動でき、高効率化を図ることができる直流変換装置を提供する。【解決手段】１次巻線Ｐ１と２次巻線Ｓ１とが疎結合されたトランスＴｃと、１次巻線Ｐ１に直列に接続されたスイッチＱ１と、１次巻線Ｐ１の両端又はスイッチＱ１の両端に接続されたクランプコンデンサＣ２及びスイッチＱ２からなる直列回路とを有し、スイッチＱ１とスイッチＱ２とを交互にオン／オフさせることにより２次巻線Ｓ１の電圧を同期整流素子Ｑ１０、Ｑ１１で同期整流し、平滑素子Ｌ１，Ｃ１０で平滑して直流出力を得る直流変換装置において、１次巻線Ｐ１と密結合したトランスの３次巻線Ｓ３と、３次巻線Ｓ３に発生する電圧より低い電圧を供給する電圧源Ｖoutと、３次巻線Ｓ３に発生する電圧を電圧源でクランプするクランプダイオードＤ２０〜Ｄ２３とを有し、クランプダイオードによりクランプされた電圧信号により同期整流素子を駆動する。【選択図】図１
2006238648.tif 000002
【特許請求の範囲】
【請求項１】
１次巻線と２次巻線とが疎結合されたトランスと、前記トランスの１次巻線に直列に接続された主スイッチと、前記トランスの１次巻線の両端又は前記主スイッチの両端に接続されたクランプコンデンサ及び補助スイッチからなる直列回路とを有し、前記主スイッチと前記補助スイッチとを交互にオン／オフさせることにより前記トランスの２次巻線の電圧を同期整流素子で同期整流し、平滑素子で平滑して直流出力を得る直流変換装置において、
前記トランスの１次巻線と密結合した前記トランスの３次巻線と、
前記トランスの３次巻線に発生する電圧より低い電圧を供給する電圧源と、
前記トランスの３次巻線に発生する電圧を前記電圧源でクランプするクランプダイオードとを有し、
前記クランプダイオードによりクランプされた電圧信号により前記同期整流素子を駆動することを特徴とする直流変換装置。
【請求項２】
１次巻線と第１の２次巻線が著しく疎結合され且つこの１次巻線と第２の２次巻線が疎結合されたトランスと、前記トランスの１次巻線に直列に接続された主スイッチと、前記トランスの１次巻線の両端又は前記主スイッチの両端に接続されたクランプコンデンサ及び補助スイッチからなる直列回路とを有し、前記主スイッチと前記補助スイッチとを交互にオン／オフさせ、前記主スイッチがオン時に前記１次巻線と前記第１の２次巻線との間のリーケージインダクタンスにエネルギーを蓄え、前記リーケージインダクタンスに蓄えられたエネルギーを前記主スイッチがオフ時に前記第２の２次巻線を介して前記トランスの２次側に帰還し、前記２次巻線の電圧を同期整流素子で同期整流し、平滑素子で平滑して直流出力を得る直流変換装置において、
前記トランスの１次巻線と密結合した前記トランスの３次巻線と、
前記トランスの３次巻線に発生する電圧より低い電圧を供給する電圧源と、
前記トランスの３次巻線に発生する電圧を前記電圧源でクランプするクランプダイオードとを有し、
前記クランプダイオードによりクランプされた電圧信号により前記同期整流素子を駆動することを特徴とする直流変換装置。
【請求項３】
前記クランプダイオードに流れる電流を制限する電流制限抵抗を有することを特徴とする請求項１又は請求項２記載の直流変換装置。
【請求項４】
前記クランプダイオードに流れるリカバリ電流により、前記３次巻線に発生する電圧よりも遅延した遅延信号を発生させ、この遅延信号により前記同期整流素子を駆動することを特徴とする請求項１乃至請求項３のいずれか１項記載の直流変換装置。
【請求項５】
前記クランプダイオードにトランジスタのＰＮ接合を利用し、前記３次巻線に発生する電圧よりも遅延した遅延信号を発生させ、この遅延信号により前記同期整流素子を駆動することを特徴とする請求項１乃至請求項３のいずれか１項記載の直流変換装置。
【請求項６】
前記電圧源は、前記直流出力の電圧であることを特徴とする請求項１乃至請求項５のいずれか１項記載の直流変換装置。
【発明の詳細な説明】
【技術分野】
【０００１】
本発明は、高効率な直流変換装置に関する。
【背景技術】
【０００２】
図１０は従来の直流変換装置の例１の回路構成図である。図１０に示す直流変換装置は、アクティブクランプ付きのフォワードコンバータからなり、直流電源ＶｉｎにトランスＴａの１次巻線Ｐ１（巻数ｎ１）を介してＭＯＳＦＥＴ（電界効果トランジスタ）等からなるスイッチＱ１（主スイッチに対応）が接続されている。
【０００３】
１次巻線Ｐ１の両端には、ＭＯＳＦＥＴ等からなるスイッチＱ２（補助スイッチに対応）とクランプコンデンサＣ２とからなる直列回路が接続されている。なお、スイッチＱ２とクランプコンデンサＣ２との直列回路からなるアクティブクランプ回路は、スイッチＱ１と並列に接続されてもよい。
【０００４】
ダイオードＤ１は、スイッチＱ１のドレイン−ソース間に接続され、ダイオードＤ２は、スイッチＱ２のドレイン−ソース間に接続されている。ダイオードＤ１、Ｄ２は、スイッチＱ１，Ｑ２がＭＯＳＦＥＴ等のように寄生ダイオードを内蔵する素子であれば、その寄生ダイオードでもよい。コンデンサＣ３は、電圧共振用コンデンサであり、スイッチＱ１のドレイン−ソース間に接続され、スイッチＱ１の寄生容量でもよい。
【０００５】
スイッチＱ１及びスイッチＱ２は、制御回路１１により共にオフとなるデットタイム期間を有し、制御回路１１のＰＷＭ制御により交互にオン／オフするようになっている。
【０００６】
また、トランスＴａの１次巻線Ｐ１とトランスＴａの２次巻線Ｓ１（巻数ｎ２）とは互いに同相電圧が発生するように巻回されている。トランスＴａの１次巻線Ｐ１と２次巻線Ｓ１の巻き始めを●で示す。トランスＴａの２次巻線Ｓ１の一端には１次巻線Ｐ１と２次巻線Ｓ１との巻線間のリーケージインダクタンスＬＳを介してダイオードＤ１０のカソードが接続され、２次巻線Ｓ１の他端（●側）にはダイオードＤ１１のカソードが接続され、ダイオードＤ１１のアノードは、ダイオードＤ１０のアノードに接続されている。
【０００７】
ダイオードＤ１０の両端には、整流用の同期整流素子としてのＭＯＳＦＥＴ等からなるスイッチＱ１０のドレイン−ソース間が接続され、ダイオードＤ１１の両端には、還流用の同期整流素子としてのＭＯＳＦＥＴ等からなるスイッチＱ１１のドレイン−ソース間が接続されている。スイッチＱ１０のゲートは、２次巻線Ｓ１の他端（●側）に接続され、スイッチＱ１１のゲートは、リーケージインダクタンスＬＳを介して２次巻線Ｓ１の一端に接続されている。
【０００８】
ダイオードＤ１０、Ｄ１１は、スイッチＱ１０、Ｑ１１がＭＯＳＦＥＴ等のように寄生ダイオードを内蔵する素子であれば、その寄生ダイオードでもよい。これらの素子（Ｄ１０，Ｄ１１，Ｑ１０，Ｑ１１）により同期整流回路を構成している。この同期整流回路は、スイッチＱ１のオン／オフに同期してトランスＴａの２次巻線Ｓ１に発生した電圧（オンオフ制御されたパルス電圧）を整流して出力する。
【０００９】
ダイオードＤ１０の両端には、抵抗Ｒ２０とコンデンサＣ２０との直列回路が接続され、ダイオードＤ１１の両端には、抵抗Ｒ２１とコンデンサＣ２１との直列回路が接続されており、これら２つの直列回路は、ＣＲスナバ回路を構成し、ダイオードＤ１０，Ｄ１１のリカバリ時におけるサージ電圧を減衰するための回路である。
【００１０】
スイッチＱ１１の両端には平滑リアクトルＬ１（平滑素子に対応）と平滑コンデンサＣ１０（平滑素子に対応）とが直列に接続され、平滑回路を構成している。この平滑回路は、同期整流回路の整流出力を平滑して直流出力を負荷５０に出力する。
【００１１】
制御回路１１は、負荷５０の出力電圧に基づき、スイッチＱ１及びスイッチＱ２をオン／オフ制御するためのパルスからなる制御信号を生成するとともに、出力電圧が所定の電圧となるようにその制御信号のデューティ比を制御する。
【００１２】
さらに、直流変換装置は、ローサイドドライバ１３、ハイサイドドライバ１５を備えている。ローサイドドライバ１３は、制御回路１１からのゲート信号Ｑ１ｇをスイッチＱ１のゲートに印加してスイッチＱ１を駆動する。ハイサイドドライバ１５は、制御回路１１からのゲート信号Ｑ２ｇをスイッチＱ２のゲートに印加してスイッチＱ２を駆動する。
【００１３】
次に、このように構成された直流変換装置の動作を図１１に示すタイミングチャートを参照しながら説明する。なお、図１１において、Ｑ１ｇはスイッチＱ１へのゲート信号、Ｑ２ｇはスイッチＱ２へのゲート信号、Ｑ１ｖはスイッチＱ１のドレイン−ソース間電圧、Ｑ１ｉはスイッチＱ１のドレイン電流、Ｑ２ｉはスイッチＱ２のドレイン電流、Ｃ３ｉはコンデンサＣ３に流れる電流、Ｑ１０ｖはスイッチＱ１０のドレイン−ソース間電圧、Ｄ１０ｉはダイオードＤ１０に流れる電流、Ｑ１０ｉはスイッチＱ１０のドレイン電流、Ｑ１１ｖはスイッチＱ１１のドレイン−ソース間電圧、Ｄ１１ｉはダイオードＤ１１に流れる電流、Ｑ１１ｉはスイッチＱ１１のドレイン電流を示している。
【００１４】
まず、時刻ｔ０以前では、スイッチＱ１がオフ、スイッチＱ２がオンである。トランスＴａの１次側では、電流がＱ２→Ｐ１→Ｃ２→Ｑ２と流れている。トランスＴａの１次巻線Ｐ１間にはクランプコンデンサＣ２の電圧ＶＣ２が印加され、１次巻線Ｐ１の巻き終りは正電位が印加されているので、２次巻線Ｓ１間の電圧は巻き終りが正電位のＶＣ２・（ｎ２／ｎ１）となる。
【００１５】
従って、電圧Ｑ１０ｖは、ＶＣ２・（ｎ２／ｎ１）となるので、スイッチＱ１１のゲート電圧もＶＣ２・（ｎ２／ｎ１）の正電位となり、スイッチＱ１１はオン状態である。トランスＴａの２次側では、電流がＬ１→Ｃ１０→Ｑ１１→Ｌ１と流れているので、電圧Ｑ１１ｖは、略零ボルトである。また、スイッチＱ１０はオフ状態である。
【００１６】
期間Ｔ１の時刻ｔ０において、スイッチＱ２がオンからオフになると、Ｑ２→Ｐ１→Ｃ２→Ｑ２と流れていた電流は、零になり、Ｐ１→Ｖｉｎ→Ｃ３→Ｐ１の経路に電流が流れて、コンデンサＣ３を放電し、スイッチＱ１の電圧Ｑ１ｖは下降する。電圧Ｑ１ｖが下降すると、１次巻線Ｐ１間の電圧は減少するため、２次巻線Ｓ１間の電圧も減少して、スイッチＱ１０の電圧Ｑ１０ｖも下降する。
【００１７】
期間Ｔ２の時刻ｔ１において、スイッチＱ１０の電圧Ｑ１０ｖがスイッチＱ１１のゲート閾値電圧Ｖth11まで下降すると、スイッチＱ１１はオフし、スイッチＱ１１の電流Ｑ１１ｉは零になり、スイッチＱ１１に流れていた電流は、ダイオードＤ１１に流れる。
【００１８】
期間Ｔ３の時刻ｔ２において、スイッチＱ１の電圧Ｑ１ｖがＶｉｎ（直流電源電圧）に達すると、１次巻線Ｐ１間の電圧は零ボルトになり、２次巻線Ｓ１間の電圧も零ボルトになる。従って、スイッチＱ１０の電圧Ｑ１０ｖも零ボルトとなる。スイッチＱ１の電圧Ｑ１ｖがさらに下降すると、１次巻線Ｐ１間には巻き始めに正電位が印加され、２次巻線Ｓ１間も巻き始めに正電位が印加される。時刻ｔ３において、スイッチＱ１の電圧Ｑ１ｖが零ボルトに達すると、１次巻線Ｐ１間の電圧はＶｉｎとなり、２次巻線Ｓ１間の電圧はＶｉｎ・（ｎ２／ｎ１）となる。期間Ｔ３では、１次巻線Ｐ１は、巻き始めを正電位とすると、零ボルトからＶｉｎの電圧まで変化し、２次巻線Ｓ１は巻き始めを正電位とすると、零ボルトからＶｉｎ・（ｎ２／ｎ１）の電圧まで変化する。
【００１９】
従って、２次巻線Ｓ１間の電圧をＶＳ１(t)とすると、リーケージインダクタンスＬＳに流れる電流ＩＬＳ(t)は
ＩＬＳ(t)＝（ＶＳ１(t)／ＬＳ）・ｔ          ・・・（１）
で増加する。ここで、ＬＳはリーケージインダクタンス値であり、ｔは時間である。従って、リーケージインダクタンスＬＳの電流は、ダイオードＤ１０の電流と同じであるので、期間Ｔ３においてダイオードＤ１０の電流Ｄ１０ｉは増加する。また、ダイオードＤ１０の電流Ｄ１０ｉが増加した分、ダイオードＤ１１の電流Ｄ１１ｉが減少する。期間Ｔ３では、トランスＴａの２次側はＬ１→Ｃ１０→Ｄ１１→Ｌ１の電流とＬ１→Ｃ１０→Ｄ１０→ＬＳ→Ｓ１→Ｌ１の電流とが流れ、後者の電流は式（１）により増加し、増加した分、前者の電流は減少していく。
【００２０】
期間Ｔ４の時刻ｔ３において、コンデンサＣ３の放電が終了し、スイッチＱ１の電圧Ｑ１ｖは零ボルトになり、Ｐ１→Ｖｉｎ→Ｃ３→Ｐ１と流れていた電流がＰ１→Ｖｉｎ→Ｄ１（Ｑ１）→Ｐ１と流れて、スイッチＱ１はゲート信号Ｑ１ｇによりオンする。
【００２１】
期間Ｔ４では、スイッチＱ１の電圧Ｑ１ｖが略零ボルトであり、１次巻線Ｐ１間の電圧はＶｉｎであるので、２次巻線Ｓ１間の電圧ＶＳ１（ｔ）は、Ｖｉｎ・（ｎ２／ｎ１）となる。このため、リーケージインダンタンスＬＳに流れる電流ＩＬＳ(t)は、時刻ｔ３においてリーケージインダクタンスＬＳに流れていた電流をＩＬＳ(t3)とすると、
ＩＬＳ(t)＝（ＶＳ１(t)／ＬＳ）・ｔ＋ＩＬＳ(t3)
＝（Ｖｉｎ・（ｎ２／ｎ１）／ＬＳ）・ｔ＋ＩＬＳ(t3)    ・・・（２）
と増加し、増加した分、ダイオードＤ１１の電流Ｄ１１ｉが減少し、時刻ｔ４において平滑リアクトルＬ１に流れている電流に達する。すると、ＩＬＳ(t)は平滑リアクトルＬ１の電流と等しくなり、ダイオードＤ１１の電流Ｄ１１ｉは零になり、ダイオードＤ１１のリカバリ電流によりダイオードＤ１１に逆電流が流れる。また、スイッチＱ１の電流Ｑ１ｉは、２次巻線Ｓ１に流れる電流と巻数比で比例して流れるため、増加していき、時刻ｔ４において平滑リアクトルＬ１に流れている電流の巻数比倍（ｎ２／ｎ１）の電流になる。
【００２２】
期間Ｔ５の時刻ｔ４において、ダイオードＤ１１のリカバリ電流が減少すると、スイッチＱ１１の電圧Ｑ１１ｖは上昇する。スイッチＱ１１の電圧Ｑ１１ｖがスイッチＱ１０のゲート閾値電圧Ｖth10に達して、スイッチＱ１０がオンすることで、ダイオードＤ１０に流れていた電流は、スイッチＱ１０に移動する。スイッチＱ１１の電圧Ｑ１１ｖは、リーケージインダクタンスＬＳとダイオードＤ１１の接合容量やスイッチＱ１１の出力容量により振動するが、やがて減衰して、Ｖｉｎ・（ｎ２／ｎ１）となる。
【００２３】
スイッチＱ１１の電圧Ｑ１１ｖがスイッチＱ１０のゲート閾値電圧Ｖth10以下まで振動すると、図１５のリンギングが大きい場合の動作波形のように、スイッチＱ１０がオン／オフを繰り返してチャタリングを起こす。この振動を抑えるために抵抗Ｒ２１とコンデンサＣ２１とからなるＣＲスナバ回路を追加することがある。また、１次巻線Ｐ１と２次巻線Ｓ１とを疎結合とし、リーケージインダクタンスＬＳを大きくしているので、振動の振幅も大きく振動周波数は低くなる。このため、ＣＲスナバ回路の損失も大きくなり、高効率の妨げとなる。
【００２４】
期間Ｔ６の時刻ｔ５において、スイッチＱ１のゲート信号Ｑ１ｇがオフとなると、スイッチＱ１の電流Ｑ１ｉは零になる。Ｖｉｎ→Ｐ１→Ｑ１→Ｖｉｎと流れていた電流は、Ｖｉｎ→Ｐ１→Ｃ３→Ｖｉｎと流れて、コンデンサＣ３の電圧は上昇する。このため、スイッチＱ１の電圧Ｑ１ｖは上昇し、スイッチＱ１１の電圧Ｑ１１ｖは下降する。
【００２５】
期間Ｔ７の時刻ｔ６において、スイッチＱ１１の電圧Ｑ１１ｖがスイッチＱ１０のゲート閾値電圧Ｖth10まで下降すると、スイッチＱ１０はオフし、スイッチＱ１０の電流Ｑ１０ｉは零になり、スイッチＱ１０に流れていた電流は、ダイオードＤ１０に流れる。
【００２６】
期間Ｔ８の時刻ｔ７において、スイッチＱ１の電圧Ｑ１ｖがＶｉｎに達すると、１次巻線Ｐ１間の電圧は零ボルトになり、２次巻線Ｓ１間も零ボルトになる。従って、スイッチＱ１１の電圧Ｑ１１ｖも零ボルトになる。スイッチＱ１の電圧Ｑ１ｖがさらに上昇すると、１次巻線Ｐ１間には巻き終りに正電位が印加され、２次巻線Ｓ１間も巻き終りに正電位が印加される。時刻ｔ８において、スイッチＱ１の電圧Ｑ１ｖが（Ｖｉｎ＋Ｖｃ２）に達すると、１次巻線Ｐ１間の電圧はＶｃ２となり、２次巻線Ｓ１間の電圧はＶｃ２・（ｎ２／ｎ１）となる。期間Ｔ８では、１次巻線Ｐ１は巻き終りを正電位とすると、零ボルトからＶｃ２の電圧まで変化し、２次巻線Ｓ１は巻き終りを正電位とすると、零ボルトからＶｃ２・（ｎ２／ｎ１）の電圧まで変化する。従って、２次巻線Ｓ１間の電圧をＶＳ１(t)とし、リーケージインダクタンスＬＳに流れる電流ＩＬＳ(t)は、時刻ｔ７においてリーケージインダクタンスＬＳに流れていた電流をＩＬＳ(t7)とすると、
ＩＬＳ(t)＝ＩＬＳ(t7)−（ＶＳ１(t)／ＬＳ）・ｔ      ・・・（３）
と減少する。従って、リーケージインダクタンスＬＳの電流は、ダイオードＤ１０の電流と同じであるので、期間Ｔ８でダイオードＤ１０の電流Ｄ１０ｉは減少する。また、ダイオードＤ１０の電流Ｄ１０ｉが減少した分、ダイオードＤ１１の電流Ｄ１１ｉが増加する。
【００２７】
期間Ｔ８では、トランスＴａの２次側はＬ１→Ｃ１０→Ｄ１０→ＬＳ→Ｓ１→Ｌ１の電流とＬ１→Ｃ１０→Ｄ１１→Ｌ１の電流が流れ、前者の電流は式（３）により減少し、減少した分、後者の電流は増加していく。
【００２８】
期間Ｔ９の時刻ｔ８において、コンデンサＣ３の充電が終了し、スイッチＱ１の電圧Ｑ１ｖは、略（Ｖｉｎ＋Ｖｃ２）であるので、１次巻線Ｐ１間の電圧はＶｃ２である。このため、２次巻線Ｓ１間の電圧ＶＳ１(t)はＶｃ２・（ｎ２／ｎ１）となるので、リーケージインダクタンスＬＳに流れる電流ＩＬＳ(t)は、時刻ｔ８においてリーケージインダクタンスＬＳに流れていた電流をＩＬＳ(ｔ８)とすると、
ＩＬＳ(t)＝ＩＬＳ(ｔ８)−（ＶＳ１(t)／ＬＳ）・ｔ
＝ＩＬＳ(ｔ８)−（Ｖｃ２・（ｎ２／ｎ１）／ＬＳ）・ｔ      ・・・（４）
と減少し、減少した分、ダイオードＤ１１の電流Ｄ１１ｉが増加する。時刻ｔ９においてダイオードＤ１０の電流Ｄ１０ｉは零になり、リカバリ電流によりダイオードＤ１０に逆電流が流れる。また、ダイオードＤ１１の電流Ｄ１１ｉは平滑リアクトルＬ１の電流と等しくなる。また、スイッチＱ２の電流Ｑ２ｉは、２次巻線Ｓ１に流れる電流と巻数比で比例して流れるため、増加していき、時刻ｔ９において１次巻線Ｐ１の励磁電流となる。
【００２９】
期間Ｔ１０の時刻ｔ９においてダイオードＤ１０のリカバリ電流が減少すると、スイッチＱ１０の電圧Ｑ１０ｖは上昇する。電圧Ｑ１０ｖがスイッチＱ１１のゲート閾値電圧Ｖth11に達して、スイッチＱ１１がオンすることで、ダイオードＤ１１に流れていた電流はスイッチＱ１１に移動する。
【００３０】
スイッチＱ１０の電圧Ｑ１０ｖは、リーケージインダクタンスＬＳとダイオードＤ１０の接合容量やスイッチＱ１０の出力容量により振動するが、やがて減衰して、Ｖｃ２・（ｎ２／ｎ１）となる。
【００３１】
スイッチＱ１０の電圧Ｑ１０ｖがスイッチＱ１１のゲート閾値電圧Ｖth11以下まで振動すると、図１５のリンギングが大きい場合の動作波形のように、スイッチＱ１１がオン／オフを繰り返してチャタリングを起こす。この振動を抑えるために抵抗Ｒ２０とコンデンサＣ２０とからなるＣＲスナバ回路を追加することがある。また、１次巻線Ｐ１と２次巻線Ｓ１とを疎結合とし、リーケージインダクタンスＬＳを大きくしているので、振動の振幅も大きく振動周波数は低くなる。このため、ＣＲスナバ回路の損失も大きくなり、高効率の妨げとなる。
【００３２】
このように、従来の２次巻線Ｓ１により同期整流素子を駆動した場合には、ダイオードＤ１０に電流が流れる期間は、期間Ｔ３、Ｔ４と期間Ｔ７、Ｔ８、Ｔ９であり、ダイオードＤ１１に電流が流れる期間は、期間Ｔ２、Ｔ３、Ｔ４と期間Ｔ８、Ｔ９である。即ち、多くの部分が同期整流素子（スイッチＱ１０、Ｑ１１）を電流が流れず、ダイオードＤ１０、Ｄ１１に流れてしまい、同期整流の効率が悪く、電源効率も向上しない。また、同期整流素子と並列に接続したダイオードＤ１０、Ｄ１１のリカバリ電流により、同期整流素子がオン／オフしてチャタリングを起こし、効率を低下させたりする。このため、チャタリングを抑えるためにＣＲスナバ回路を追加すると、損失が増加して高効率化の妨げとなる。
【００３３】
図１２は従来の直流変換装置の例２の回路構成図である。図１２において、トランスＴｂの１次側は、アクティブクランプ回路を採用すると共に、図１０に示すトランスＴａの１次側の構成と同一であるので、その部分の説明は省略する。トランスＴｂは、１次巻線Ｐ１（巻数ｎ１）と、この１次巻線Ｐ１と著しく疎結合した第１の２次巻線Ｓ１（巻数ｎ２）と、１次巻線Ｐ１と疎結合した第２の２次巻線Ｓ２（巻数ｎ３）とを有する。第１の２次巻線Ｓ１の一端は、第２の２次巻線Ｓ２の一端に接続されている。第１の２次巻線Ｓ１の両端にはリーケージインダクタンスＬ１を介して可飽和リアクトルＬＨが接続されている。可飽和リアクトルＬＨはトランスＴｂのコアの飽和特性を用いている。
【００３４】
第２の２次巻線Ｓ２の他端（●側）にはリーケージインダンタンスＬＳを介してダイオードＤ１１のカソードが接続され、第２の２次巻線Ｓ２の一端にはダイオードＤ１０のカソードが接続され、ダイオードＤ１０のアノードは、ダイオードＤ１１のアノードに接続されている。
【００３５】
ダイオードＤ１０の両端にはＭＯＳＦＥＴ等からなるスイッチＱ１０のドレイン−ソースが接続され、ダイオードＤ１１の両端にはＭＯＳＦＥＴ等からなるスイッチＱ１１のドレイン−ソースが接続されている。スイッチＱ１１のゲートは第２の２次巻線Ｓ２の一端に接続され、スイッチＱ１０のゲートはリーケージインダクタンスＬＳを介して第２の２次巻線Ｓ２の他端に接続されている。第１の２次巻線Ｓ１の他端は、リーケージインダクタンスＬ１を介してコンデンサＣ１０の一端に接続され、コンデンサＣ１０の他端は、ダイオードＤ１０のアノードとダイオードＤ１１のアノードとの接続点に接続されている。
【００３６】
なお、ＬＳは疎結合された１次巻線Ｐ１と第２の２次巻線Ｓ２との巻線間のリーケージインダクタンスである。著しく疎結合された１次巻線Ｐ１と第１の２次巻線Ｓ１との巻線間のリーケージインダクタンスＬ１は、フォワードコンバータの平滑リアクトルの役目をなし、スイッチＱ１がオンの時にエネルギーを蓄える。第２の２次巻線Ｓ２は、リーケージインダクタンスＬ１に蓄えられたエネルギーをスイッチＱ１がオフの時にトランスＴｂの２次側に帰還する。
【００３７】
また、リーケージインダクタンスＬＳは、スイッチＱ１がオンの時に蓄えたエネルギーをクランプコンデンサＣ２に蓄え、第１の２次巻線Ｓ１が巻回してあるコアを第３象限に引き下げ飽和させる。
【００３８】
（トランスの構成）
図１３は従来の直流変換装置の例２のトランスの構造図である。図１４は図１３に示すトランスの等価回路図である。図１３に示すトランスＴｂは、日の字型のコア３０を有し、コア３０のコア部３０ａには、１次巻線Ｐ１と第２の２次巻線Ｓ２とが近接して巻回されている。これにより、１次巻線Ｐ１と第２の２次巻線Ｓ２間にわずかなリーケージインダクタンスＬＳを持たせている。また、コア３０にはパスコア３０ｃとギャップ３１が形成され、外周コアには第１の２次巻線Ｓ１が巻回されている。即ち、パスコア３０ｃにより、１次巻線Ｐ１と第１の２次巻線Ｓ１を著しく疎結合させることにより、リーケージインダクタンスＬ１を大きくしている。
【００３９】
また、外周コア上で且つ１次巻線Ｐ１と第１の２次巻線Ｓ１との間に、凹部３０ｂが１箇所形成されている。この凹部３０ｂにより、コアの磁路の一部の断面積が他の部分よりも狭くなり、その部分のみが飽和するので、コア損失を低減できる。また、この飽和する部分を可飽和リアクトルＬＨとして兼用している。即ち、第１の２次巻線Ｓ１を巻回しているコア３０の一部を凹とすることで、第１の２次巻線Ｓ１を巻回しているコア３０の一部を飽和させて励磁電流を増加させ、電圧共振をさせている。トランスＴｂの１次巻線Ｐ１と第１の２次巻線Ｓ１、第２の２次巻線Ｓ２の巻き始めを●で示す。
【００４０】
次にこのように構成された図１２に示す直流変換装置の動作を図１６に示すタイミングチャートを参照しながら説明する。
【００４１】
まず、時刻ｔ０以前ではスイッチＱ１がオフ、スイッチＱ２がオンでトランスＴｂの１次側では、電流がＱ２→Ｐ１→Ｃ２→Ｑ２と流れている。トランスＴｂの２次側では、電流がＬ１→Ｃ１０→Ｑ１１→ＬＳ→Ｓ２→Ｓ１→Ｌ１と流れているので、スイッチＱ１１の電圧Ｑ１１ｖは略零ボルトである。また、スイッチＱ１０はオフ状態である。また、トランスＴｂの１次巻線Ｐ１間には、クランプコンデンサＣ２の電圧Ｖｃ２が印加され、１次巻線Ｐ１の巻き終りは正電位が印加されているので、第２の２次巻線Ｓ２間の電圧は巻き終りが正電位のＶｃ２・（ｎ３／ｎ１）となる。
【００４２】
従って、第１の２次巻線Ｓ１の電圧（リーケージインダクタンスＬ１も含めた電圧）は巻き終りが正電位のＶｃ２・（ｎ３／ｎ１）−Ｖoutとなる。従って、スイッチＱ１０の電圧Ｑ１０ｖは、正電位のＶｃ２・（ｎ３／ｎ１）になるので、スイッチＱ１１のゲート電圧も正電位でスイッチＱ１１はオン状態である。
【００４３】
期間Ｔ１の時刻ｔ０において、スイッチＱ２がオンからオフになると、Ｑ２→Ｐ１→Ｃ２→Ｑ２と流れていた電流は、零になり、Ｐ１→Ｖｉｎ→Ｃ３→Ｐ１の経路に電流が流れて、コンデンサＣ３を放電し、スイッチＱ１の電圧Ｑ１ｖは下降する。すると、１次巻線Ｐ１間の電圧は減少し、第２の２次巻線Ｓ２間の電圧も減少し、スイッチＱ１０の電圧Ｑ１０ｖも下降する。
【００４４】
期間Ｔ２の時刻ｔ１においてスイッチＱ１０の電圧Ｑ１０ｖがスイッチＱ１１のゲート閾値電圧Ｖth11まで下降すると、スイッチＱ１１はオフし、スイッチＱ１１の電流Ｑ１１ｉは零になり、スイッチＱ１１に流れていた電流は、ダイオードＤ１１に流れる。
【００４５】
期間Ｔ３の時刻ｔ２においてスイッチＱ１の電圧Ｑ１ｖがＶｉｎに達すると、１次巻線Ｐ１間の電圧は零ボルトになり、第２の２次巻線Ｓ２間も零ボルトになる。従って、スイッチＱ１０の電圧Ｑ１０ｖも零ボルトである。スイッチＱ１の電圧Ｑ１ｖがさらに下降すると、１次巻線Ｐ１間には巻き始めに正電位が印加され、第２の２次巻線Ｓ２間も巻き始めに正電位が印加される。時刻ｔ３においてスイッチＱ１の電圧Ｑ１ｖが零ボルトに達すると、１次巻線Ｐ１間の電圧はＶｉｎとなり、第２の２次巻線Ｓ２間の電圧はＶｉｎ・（ｎ３／ｎ１）となる。期間Ｔ３では、１次巻線Ｐ１は巻き始めを正電位とすると、零ボルトからＶｉｎの電圧まで変化し、第２の２次巻線Ｓ２は巻き始めを正電位とすると、零ボルトからＶｉｎ・（ｎ３／ｎ１）の電圧まで変化する。
【００４６】
従って、第２の２次巻線Ｓ２間の電圧をＶＳ２(t)とすると、リーケージインダクタンスＬＳに流れる電流ＩＬＳ(t)は、時刻ｔ２においてリーケージインダクタンスＬＳに流れていた電流をＩＬＳ(t2)とすると、
ＩＬＳ(t)＝ＩＬＳ(t2)−（ＶＳ２(t)／ＬＳ）・ｔ          ・・・（５）
で減少する。従って、リーケージインダクタンスＬＳの電流はダイオードＤ１１の電流と同じであるので、期間Ｔ３においてダイオードＤ１１の電流Ｄ１１ｉは減少する。
【００４７】
また、ダイオードＤ１１の電流Ｄ１１ｉが減少した分、ダイオードＤ１０の電流Ｄ１０ｉが増加する。期間Ｔ３では、トランスＴｂの２次側はＬ１→Ｃ１０→Ｄ１１→ＬＳ→Ｓ２→Ｓ１→Ｌ１の電流とＬ１→Ｃ１０→Ｄ１０→Ｓ１→Ｌ１の電流が流れ、前者の電流は式（５）で減少し、減少した分、後者の電流は増加していく。
【００４８】
期間Ｔ４の時刻ｔ３においてコンデンサＣ３の放電が終了し、スイッチＱ１の電圧Ｑ１ｖは零ボルトになり、Ｐ１→Ｖｉｎ→Ｃ３→Ｐ１と流れていた電流がＰ１→Ｖｉｎ→Ｄ１（Ｑ１）→Ｐ１と流れて、スイッチＱ１はゲート信号Ｑ１ｇによりオンする。
【００４９】
期間Ｔ４では、スイッチＱ１の電圧Ｑ１ｖが略零ボルトであり、１次巻線Ｐ１間の電圧はＶｉｎであるので、第２の２次巻線Ｓ２間の電圧ＶＳ２(t)はＶｉｎ・（ｎ３／ｎ１）となるので、ＬＳに流れる電流ＩＬＳ(t)は、時刻ｔ３においてリーケージインダクタンスＬＳに流れていた電流をＩＬＳ(t3)とすると、
ＩＬＳ(t)＝ＩＬＳ(t3)−（ＶＳ２(t)／ＬＳ）・ｔ
＝ＩＬＳ(t3)−（Ｖｉｎ・（ｎ３／ｎ１）／ＬＳ）・ｔ    ・・・（６）
と減少し、減少した分、ダイオードＤ１０の電流Ｄ１０ｉが増加する。ダイオードＤ１０の電流Ｄ１０ｉは、時刻ｔ４においてリーケージインダクタンスＬ１の電流と等しくなると、ダイオードＤ１１の電流Ｄ１１ｉは零になり、ダイオードＤ１１のリカバリ電流によりダイオードＤ１１に逆電流が流れる。
【００５０】
また、スイッチＱ１の電流Ｑ１ｉは第２の２次巻線Ｓ２に流れる電流と巻数比で比例して流れるため、増加していき、時刻ｔ４においてリーケージインダクタンスＬ１に流れている電流の巻数比倍の電流になる。
【００５１】
期間Ｔ５の時刻ｔ４においてダイオードＤ１１のリカバリ電流が減少すると、スイッチＱ１１のゲート電圧Ｑ１１ｖは上昇する。スイッチＱ１１の電圧Ｑ１１ｖがスイッチＱ１０の閾値電圧Ｖth10に達し、スイッチＱ１０がオンすることで、ダイオードＤ１０に流れていた電流はスイッチＱ１０に移動する。スイッチＱ１１の電圧Ｑ１１ｖは、リーケージインダクタンスＬＳとダイオードＤ１１の接合容量やスイッチＱ１１の出力容量により振動するが、やがて減衰して、Ｖｉｎ・（ｎ３／ｎ１）となる。
【００５２】
スイッチＱ１１の電圧Ｑ１１ｖがスイッチＱ１０のゲート閾値電圧Ｖth10以下まで振動すると、図１５のリンギングが大きい場合の動作波形のように、スイッチＱ１０がオン／オフを繰り返してチャタリングを起こす。この振動を抑えるために抵抗Ｒ２１とコンデンサＣ２１とからなるＣＲスナバ回路を追加することがある。また、１次巻線Ｐ１と第２の２次巻線Ｓ２とを疎結合とし、リーケージインダクタンスＬＳを大きくしているので、振動の振幅も大きく振動周波数は低くなる。このため、ＣＲスナバ回路の損失も大きくなり、高効率の妨げとなる。
【００５３】
期間Ｔ６の時刻ｔ５においてスイッチＱ１のゲート信号Ｑ１ｇがオフとなると、スイッチＱ１の電流Ｑ１ｉは零になる。Ｖｉｎ→Ｐ１→Ｑ１→Ｖｉｎと流れていた電流は、Ｖｉｎ→Ｐ１→Ｃ３→Ｖｉｎと流れ、コンデンサＣ３の電圧は上昇し、スイッチＱ１間の電圧Ｑ１ｖが上昇し、スイッチＱ１１の電圧Ｑ１１ｖが下降する。
【００５４】
期間Ｔ７の時刻ｔ６においてスイッチＱ１１の電圧Ｑ１１ｖがスイッチＱ１０のゲート閾値電圧Ｖth10まで下降すると、スイッチＱ１０はオフし、スイッチＱ１０の電流Ｑ１０ｉは零になり、スイッチＱ１０に流れていた電流は、ダイオードＤ１０に流れる。
【００５５】
期間Ｔ８の時刻ｔ７においてスイッチＱ１の電圧Ｑ１ｖがＶｉｎに達すると、１次巻線Ｐ１間の電圧は零ボルトになり、第２の２次巻線Ｓ２間も零ボルトになる。従って、スイッチＱ１１の電圧Ｑ１１ｖも零ボルトになる。スイッチＱ１の電圧Ｑ１ｖがさらに上昇すると、１次巻線Ｐ１間には巻き終りに正電位が印加され、第２の２次巻線Ｓ２間も巻き終りに正電位が印加される。時刻ｔ８においてスイッチＱ１の電圧Ｑ１ｖが（Ｖｉｎ＋Ｖｃ２）に達すると、１次巻線Ｐ１間の電圧はＶｃ２となり、第２の２次巻線Ｓ２間の電圧はＶｃ２・（ｎ３／ｎ１）となる。
【００５６】
期間Ｔ８では、１次巻線Ｐ１には巻き終りを正電位とすると、零ボルトからＶｃ２の電圧まで変化し、第２の２次巻線Ｓ２は巻き終りを正電位とすると、零ボルトからＶｃ２・（ｎ３／ｎ１）の電圧まで変化する。従って、第２の２次巻線Ｓ２間の電圧をＶＳ２(t)とすると、リーケージインダクタンスＬＳに流れる電流ＩＬＳ(t)は、
ＩＬＳ(t)＝（ＶＳ２(t)／ＬＳ）・ｔ                ・・・（７）
と増加する。従って、リーケージインダクタンスＬＳの電流はダイオードＤ１１の電流と同じであるので、期間Ｔ８においてダイオードＤ１１の電流Ｄ１１ｉは増加する。また、ダイオードＤ１１の電流Ｄ１１ｉが増加した分、ダイオードＤ１０の電流Ｄ１０ｉが減少する。
【００５７】
期間Ｔ８では、トランスＴｂの２次側はＬ１→Ｃ１０→Ｄ１０→Ｓ１→Ｌ１の電流とＬ１→Ｃ１０→Ｄ１１→ＬＳ→Ｓ２→Ｓ１→Ｌ１の電流が流れ、後者の電流は式（７）により増加し、増加した分、前者の電流は減少していく。
【００５８】
期間Ｔ９の時刻ｔ８においてコンデンサＣ３の充電が終了し、スイッチＱ１の電圧Ｑ１ｖは、略（Ｖｉｎ＋Ｖｃ２）であるので、１次巻線Ｐ１間の電圧はＶｃ２であり、第２の２次巻線Ｓ２間の電圧ＶＳ２(t)はＶｃ２・（ｎ３／ｎ１）となるので、リーケージインダクタンスＬＳに流れる電流ＩＬＳ(t)は、時刻ｔ８においてリーケージインダクタンスＬＳに流れていた電流をＩＬＳ(ｔ８)とすると、
ＩＬＳ(t)＝ＩＬＳ(ｔ８)＋（ＶＳ２(t)／ＬＳ）・ｔ
＝ＩＬＳ(ｔ８)＋（Ｖｃ２・（ｎ３／ｎ１）／ＬＳ）・ｔ      ・・・（８）
と増加し、増加した分、ダイオードＤ１０の電流Ｄ１０ｉが減少する。時刻ｔ９においてダイオードＤ１０の電流Ｄ１０ｉは零になり、リカバリ電流によりダイオードＤ１０に逆電流が流れる。また、ダイオードＤ１１の電流Ｄ１１ｉはリーケージインダクタンスＬ１の電流と等しくなる。また、スイッチＱ２の電流Ｑ２ｉは第２の２次巻線Ｓ２に流れる電流と巻数比で比例して流れるため、増加していき、時刻ｔ９において１次巻線Ｐ１の励磁電流となる。
【００５９】
期間Ｔ１０の時刻ｔ９においてダイオードＤ１０のリカバリ電流が減少すると、スイッチＱ１０の電圧Ｑ１０ｖは上昇する。スイッチＱ１０の電圧Ｑ１０ｖがスイッチＱ１１のゲート閾値電圧Ｖth11に達して、スイッチＱ１１がオンすることで、ダイオードＤ１１に流れていた電流はスイッチＱ１１に移動する。スイッチＱ１０の電圧Ｑ１０ｖは、リーケージインダクタンスＬＳとダイオードＤ１０の接合容量やスイッチＱ１０の出力容量により振動するが、やがて減衰して、Ｖｃ２・（ｎ３／ｎ１）となる。
【００６０】
スイッチＱ１０の電圧Ｑ１０ｖがスイッチＱ１１のゲート閾値電圧Ｖth11以下まで振動すると、図１５のリンギングが大きい場合の動作波形のように、スイッチＱ１１がオン／オフを繰り返してチャタリングを起こす。この振動を抑えるために抵抗Ｒ２０とコンデンサＣ２０とからなるＣＲスナバ回路を追加することがある。また、１次巻線Ｐ１と第２の２次巻線Ｓ２とを疎結合とし、リーケージインダクタンスＬＳを大きくしているので、振動の振幅も大きく振動周波数は低くなる。このため、ＣＲスナバ回路の損失も大きくなり、高効率の妨げとなる。
【００６１】
なお、従来の直流変換装置の関連技術として、例えば特許文献１が開示されている。
【特許文献１】特開２００１−８４４７号公報
【発明の開示】
【発明が解決しようとする課題】
【００６２】
しかしながら、図１２に示す従来の直流変換装置にあっても、図１０に示す従来の直流変換装置の課題と同様な課題を有していた。即ち、第２の２次巻線Ｓ２により同期整流素子を駆動した場合には、ダイオードＤ１０に電流が流れる期間は、期間Ｔ３、Ｔ４と期間Ｔ７、Ｔ８、Ｔ９であり、ダイオードＤ１１に電流が流れる期間は、期間Ｔ２、Ｔ３、Ｔ４と期間Ｔ８、Ｔ９である。このため、多くの部分が同期整流素子（スイッチＱ１０、Ｑ１１）を電流が流れず、ダイオードＤ１０、Ｄ１１に流れてしまい、同期整流の効率が悪く、電源効率も向上しない。また、同期整流素子と並列に接続したダイオードＤ１０、Ｄ１１のリカバリ電流により、同期整流素子がオン／オフしてチャタリングを起こし、効率を低下させたりする。このため、チャタリングを抑えるためにＣＲスナバ回路を追加すると、損失が増加して高効率化の妨げとなっていた。
【００６３】
本発明は、同期整流素子を安定して駆動でき、高効率化を図ることができる直流変換装置を提供することにある。
【課題を解決するための手段】
【００６４】
前記課題を解決するために以下の手段を採用した。請求項１の発明は、１次巻線と２次巻線とが疎結合されたトランスと、前記トランスの１次巻線に直列に接続された主スイッチと、前記トランスの１次巻線の両端又は前記主スイッチの両端に接続されたクランプコンデンサ及び補助スイッチからなる直列回路とを有し、前記主スイッチと前記補助スイッチとを交互にオン／オフさせることにより前記トランスの２次巻線の電圧を同期整流素子で同期整流し、平滑素子で平滑して直流出力を得る直流変換装置において、前記トランスの１次巻線と密結合した前記トランスの３次巻線と、前記トランスの３次巻線に発生する電圧より低い電圧を供給する電圧源と、前記トランスの３次巻線に発生する電圧を前記電圧源でクランプするクランプダイオードとを有し、前記クランプダイオードによりクランプされた電圧信号により前記同期整流素子を駆動することを特徴とする。
【００６５】
請求項２の発明は、１次巻線と第１の２次巻線が著しく疎結合され且つこの１次巻線と第２の２次巻線が疎結合されたトランスと、前記トランスの１次巻線に直列に接続された主スイッチと、前記トランスの１次巻線の両端又は前記主スイッチの両端に接続されたクランプコンデンサ及び補助スイッチからなる直列回路とを有し、前記主スイッチと前記補助スイッチとを交互にオン／オフさせ、前記主スイッチがオン時に前記１次巻線と前記第１の２次巻線との間のリーケージインダクタンスにエネルギーを蓄え、前記リーケージインダクタンスに蓄えられたエネルギーを前記主スイッチがオフ時に前記第２の２次巻線を介して前記トランスの２次側に帰還し、前記２次巻線の電圧を同期整流素子で同期整流し、平滑素子で平滑して直流出力を得る直流変換装置において、前記トランスの１次巻線と密結合した前記トランスの３次巻線と、前記トランスの３次巻線に発生する電圧より低い電圧を供給する電圧源と、前記トランスの３次巻線に発生する電圧を前記電圧源でクランプするクランプダイオードとを有し、前記クランプダイオードによりクランプされた電圧信号により前記同期整流素子を駆動することを特徴とする。
【００６６】
請求項３の発明は、請求項１又は請求項２記載の直流変換装置において、前記クランプダイオードに流れる電流を制限する電流制限抵抗を有することを特徴とする。
【００６７】
請求項４の発明は、請求項１乃至請求項３のいずれか１項記載の直流変換装置において、前記クランプダイオードに流れるリカバリ電流により、前記３次巻線に発生する電圧よりも遅延した遅延信号を発生させ、この遅延信号により前記同期整流素子を駆動することを特徴とする。
【００６８】
請求項５の発明は、請求項１乃至請求項３のいずれか１項記載の直流変換装置において、前記クランプダイオードにトランジスタのＰＮ接合を利用し、前記３次巻線に発生する電圧よりも遅延した遅延信号を発生させ、この遅延信号により前記同期整流素子を駆動することを特徴とする。
【００６９】
請求項６の発明は、請求項１乃至請求項５のいずれか１項記載の直流変換装置において、前記電圧源は、前記直流出力の電圧であることを特徴とする。
【発明の効果】
【００７０】
本発明によれば、トランスの３次巻線に発生する電圧より低い電圧を供給する電圧源により、トランスの３次巻線に発生する電圧をクランプダイオードでクランプし、クランプダイオードによりクランプされた電圧信号により同期整流素子を駆動するので、同期整流素子のオン期間を増やし、同期整流の効率が向上する。
【００７１】
また、３次巻線で同期整流素子を駆動することで、同期整流素子と並列に接続した整流ダイオードのリカバリ電流による振動で、同期整流素子がオン／オフしてチャタリングを起こすこともなく、安定して同期整流素子を駆動でき、高効率化を図ることができる。
【発明を実施するための最良の形態】
【００７２】
以下、本発明の直流変換装置の実施の形態を図面を参照しながら詳細に説明する。
【実施例１】
【００７３】
図１は実施例１の直流変換装置の回路構成図である。図１に示す直流変換装置において、図１０に示す従来の直流変換装置に対して異なる部分についてのみ説明する。
【００７４】
トランスＴｃは、１次巻線Ｐ１（巻数ｎ１）と、１次巻線Ｐ１と疎結合した２次巻線Ｓ１と、１次巻線Ｐ１と密結合した３次巻線Ｓ３（巻数ｎ４）を有している。３次巻線Ｓ３には抵抗Ｒ２０が直列に接続されている。平滑コンデンサＣ１０の両端には、クランプダイオードＤ２０とクランプダイオードＤ２１との直列回路が接続されるとともに、クランプダイオードＤ２２とクランプダイオードＤ２３との直列回路が接続されている。抵抗Ｒ２０の一端は、クランプダイオードＤ２０とクランプダイオードＤ２１との接続点とスイッチＱ１０のゲートに接続されている。３次巻線Ｓ３の一端は、クランプダイオードＤ２２とクランプダイオードＤ２３との接続点とスイッチＱ１１のゲートに接続されている。抵抗Ｒ２０の他端は、３次巻線Ｓ３の他端に接続されている。
【００７５】
スイッチＱ１がオンの時にスイッチＱ１０がオンするように３次巻線Ｓ３の巻き始め側を抵抗Ｒ２０を介してスイッチＱ１０のゲートに接続し、スイッチＱ１がオフの時にスイッチＱ１１がオンするように３次巻線Ｓ３の巻き終り側をスイッチＱ１１のゲートに接続する。
【００７６】
平滑コンデンサＣ１０の出力電圧Ｖoutは、３次巻線Ｓ３に発生する電圧より低い電圧源（以下、クランプ電圧源と称する。）を構成している。図１では、３次巻線Ｓ３に発生する電圧より出力電圧Ｖoutが低い場合であるが、クランプ電圧源として例えば、別電源を用いてもよい。
【００７７】
クランプダイオードＤ２０、Ｄ２１、Ｄ２２、Ｄ２３は、３次巻線Ｓ３に発生する巻線電圧をクランプ電圧源である出力電圧Ｖoutでクランプする。抵抗Ｒ２０は巻線電圧がクランプ電圧によりクランプされたときにダイオードに流れるクランプ電流を制限する抵抗である。
【００７８】
また、クランプダイオードＤ２０、Ｄ２１、Ｄ２２、Ｄ２３のリカバリ電流を利用し、クランプダイオードＤ２０、Ｄ２１、Ｄ２２、Ｄ２３によりクランプされた電圧信号により同期整流素子であるスイッチＱ１０、Ｑ１１のゲートを駆動し、同期整流素子のオン期間を増やし、同期整流の効率を向上するようになっている。具体的には、クランプダイオードＤ２０、Ｄ２１でクランプされた信号Ｄ２１ｖがスイッチＱ１０のゲートを駆動する駆動信号であり、クランプダイオードＤ２２、Ｄ２３でクランプされた信号Ｄ２３ｖがスイッチＱ１１のゲートを駆動する駆動信号である。
【００７９】
また、３次巻線Ｓ３で同期整流素子を駆動することで、同期整流素子と並列に接続した整流ダイオードのリカバリ電流による振動で、同期整流素子がオン／オフしてチャタリングを起こすことなく、安定して同期整流素子を駆動でき、高効率化を図るようになっている。
【００８０】
３次巻線Ｓ３は１次巻線Ｐ１と密結合されているので、１次巻線Ｐ１の電圧波形と同じ電圧波形となる。従って、同期整流素子のオン期間を増やし、同期整流の効率を向上し、また、１次巻線Ｐ１に密結合された３次巻線Ｓ３で同期整流素子であるスイッチＱ１０、Ｑ１１を駆動することで、同期整流素子と並列に接続した整流ダイオードＤ１０、Ｄ１１のリカバリ電流による振動で、同期整流素子がオン／オフしてチャタリングを起こすこともなく、安定して同期整流素子を駆動することができ、高効率な直流変換装置が構成できる。
【００８１】
なお、図１に示す直流変換装置では、図１０に示す直流変換装置に対して、ＣＲスナバ回路（抵抗Ｒ２０、Ｒ２１、コンデンサＣ２０、Ｃ２１）が削除されている。
【００８２】
次にこのように構成された実施例１の直流変換装置の動作を図２に示すタイミングチャートを参照しながら説明する。図２では、図１１に示すタイミングチャートの各信号に対して、さらに、クランプダイオードＤ２０、Ｄ２１、Ｄ２２、Ｄ２３にそれぞれ流れる電流Ｄ２０ｉ、Ｄ２１ｉ、Ｄ２２ｉ、Ｄ２３ｉと、スイッチＱ１０のゲートを駆動する駆動信号Ｄ２１ｖ、スイッチＱ１１のゲートを駆動する駆動信号Ｄ２３ｖが追加されている。
【００８３】
まず、時刻ｔ０以前ではスイッチＱ１がオフ、スイッチＱ２がオンでトランスＴｃの１次側では、電流がＱ２→Ｐ１→Ｃ２→Ｑ２と流れている。トランスＴｃの１次巻線Ｐ１間はクランプコンデンサＣ２の電圧Ｖｃ２が印加され、１次巻線Ｐ１の巻き終りは正電位が印加されているので、３次巻線Ｓ３の巻き終りが正電位となり、Ｓ３→Ｄ２２→Ｃ１０→Ｄ２１→Ｒ２０→Ｓ３と電流が流れる。従って、電圧Ｄ２３ｖは略クランプ電圧（即ち、出力電圧Ｖout）になるので、スイッチＱ１１のゲート電圧も正電位でスイッチＱ１１はオン状態である。また、電圧Ｄ２１ｖは略ＧＮＤ電圧であるので、スイッチＱ１０はオフ状態となっている。クランプダイオードＤ２１、Ｄ２２の電流Ｄ２１ｉ、Ｄ２２ｉは、
Ｄ２１ｉ＝Ｄ２２ｉ＝（Ｖｃ２・（ｎ４／ｎ１）−Ｖout）／Ｒ２０
である。また、トランスＴｃの２次側では電流がＬ１→Ｃ１０→Ｑ１１→Ｌ１と流れている。
【００８４】
期間Ｔ１の時刻ｔ０においてスイッチＱ２がオンからオフになると、Ｑ２→Ｐ１→Ｃ２→Ｑ２と流れていた電流は零になり、Ｐ１→Ｖｉｎ→Ｃ３→Ｐ１の経路に電流が流れ、コンデンサＣ３を放電し、スイッチＱ１の電圧Ｑ１ｖは下降する。電圧Ｑ１ｖが下降すると、１次巻線Ｐ１間の電圧は減少し、３次巻線Ｓ３間の電圧も減少することで、電流Ｄ２１ｉ、Ｄ２２ｉも減少する。また、２次巻線Ｓ１間の電圧も減少し、スイッチＱ１０の電圧Ｑ１０ｖも下降する。
【００８５】
期間Ｔ３の時刻ｔ２においてスイッチＱ１の電圧Ｑ１ｖがＶｉｎに達すると、１次巻線Ｐ１間の電圧は零ボルトになり、３次巻線Ｓ３間の電圧が零ボルトになり、電流Ｄ２１ｉ、Ｄ２２ｉも零になる。また、２次巻線Ｓ１間の電圧も零ボルトになるため、スイッチＱ１０の電圧Ｑ１０ｖも零ボルトである。スイッチＱ１の電圧Ｑ１ｖがさらに下降すると、１次巻線Ｐ１間には巻き始めに正電位が印加され、３次巻線Ｓ３間も巻き始めに正電位が印加され、Ｓ３→Ｒ２０→Ｄ２０→Ｃ１０→Ｄ２３→Ｓ３と電流が流れてクランプダイオードＤ２０、Ｄ２３が導通する。このため、電圧Ｄ２３ｖは略零ボルトになり、スイッチＱ１１がオフとなり、スイッチＱ１１に流れていた電流はダイオードＤ１１に転流する。
【００８６】
また、電圧Ｄ２１ｖが略クランプ電圧になり、スイッチＱ１０がオンする。また、２次巻線Ｓ１間も巻き始めに正電位が印加され、時刻ｔ３においてスイッチＱ１の電圧Ｑ１ｖが零ボルトに達すると、１次巻線Ｐ１間の電圧はＶｉｎとなり、２次巻線Ｓ１間の電圧はＶｉｎ・（ｎ２／ｎ１）となる。期間Ｔ３では、１次巻線Ｐ１は巻き始めを正電位とすると、零ボルトからＶｉｎの電圧まで変化し、２次巻線Ｓ１は巻き始めを正電位とすると、零ボルトからＶｉｎ・（ｎ２／ｎ１）の電圧まで変化する。
【００８７】
従って、２次巻線Ｓ１間の電圧をＶＳ１(t)とし、リーケージインダクタンスＬＳに流れる電流ＩＬＳ(t)は、時刻ｔ２においてリーケージインダクタンスＬＳに流れていた電流をＩＬＳ(t2)とすると、
ＩＬＳ(t)＝（ＶＳ１(t)／ＬＳ）・ｔ                    ・・・（９）
で増加する。従って、リーケージインダクタンスＬＳの電流はダイオードＤ１０の電流と同じであるので、期間Ｔ３ではスイッチＱ１０の電流Ｑ１０ｉは増加する。また、スイッチＱ１０の電流Ｄ１０ｉが増加した分、ダイオードＤ１１の電流Ｄ１１ｉが減少する。
【００８８】
期間Ｔ３では、トランスＴｃの２次側はＬ１→Ｃ１０→Ｄ１１→Ｌ１の電流とＬ１→Ｃ１０→Ｑ１０→ＬＳ→Ｓ１→Ｌ１の電流が流れて、後者の電流は式（９）により増加し、増加した分、前者の電流は減少していく。
【００８９】
期間Ｔ４の時刻ｔ３においてコンデンサＣ３の放電が終了し、スイッチＱ１の電圧Ｑ１ｖは零ボルトになり、Ｐ１→Ｖｉｎ→Ｃ３→Ｐ１と流れていた電流がＰ１→Ｖｉｎ→Ｄ１（Ｑ１）→Ｐ１と流れて、スイッチＱ１はゲート信号Ｑ１ｇによりオンする。
【００９０】
期間Ｔ４では、スイッチＱ１の電圧Ｑ１ｖが略零ボルトであり、１次巻線Ｐ１間の電圧はＶｉｎであるので、２次巻線Ｓ１間の電圧ＶＳ１(t)は（Ｖｉｎ・（ｎ２／ｎ１）となる。このため、リーケージインダクタンスＬＳに流れる電流ＩＬＳ(t)は、時刻ｔ３においてリーケージインダクタンスＬＳに流れていた電流をＩＬＳ(t3)とすると、
ＩＬＳ(t)＝（ＶＳ１(t)／ＬＳ）・ｔ＋ＩＬＳ(t3)
＝（Ｖｉｎ・（ｎ２／ｎ１）／ＬＳ）・ｔ＋ＩＬＳ(t3)  ・・・（１０）
と増加し、増加した分、ダイオードＤ１１の電流Ｄ１１ｉが減少する。この電流が時刻ｔ４において平滑リアクトルＬ１に流れている電流に達すると、ＩＬＳ(t)は平滑リアクトルＬ１の電流と等しくなり、ダイオードＤ１１の電流Ｄ１１ｉは零になり、ダイオードＤ１１のリカバリ電流によりダイオードＤ１１に逆電流が流れる。
【００９１】
また、スイッチＱ１の電流Ｑ１ｉは２次巻線Ｓ１に流れる電流と巻数比で比例して流れるため、増加していき、時刻ｔ４において平滑リアクトルＬ１に流れている電流の巻数比倍の電流になる。
【００９２】
また、Ｓ３→Ｒ２０→Ｄ２０→Ｃ１０→Ｄ２３→Ｓ３と流れている、クランプダイオードＤ２０、Ｄ２３の電流Ｄ２０ｉ、Ｄ２３ｉは、
Ｄ２０ｉ＝Ｄ２３ｉ＝（Ｖｉｎ・（ｎ４／ｎ１）−Ｖout）／Ｒ２０
である。
【００９３】
期間Ｔ５の時刻ｔ４においてダイオードＤ１１のリカバリ電流が減少すると、スイッチＱ１１の電圧Ｑ１１ｖは上昇する。スイッチＱ１１の電圧Ｑ１１ｖは、リーケージインダクタンスＬＳとダイオードＤ１１の接合容量やスイッチＱ１１の出力容量により振動するが、やがて減衰して、Ｖｉｎ・（ｎ２／ｎ１）となる。この振動が大きくなっても、同期整流素子であるスイッチＱ１０、Ｑ１１を駆動している１次巻線Ｐ１に密結合した３次巻線Ｓ３は影響を受けないため、従来回路の動作波形（図１５）のように、スイッチＱ１０がオン／オフを繰り返してチャタリングを起こすこともない。
【００９４】
期間Ｔ６の時刻ｔ５においてスイッチＱ１のゲート信号Ｑ１ｇがオフとなると、スイッチＱ１の電流Ｑ１ｉは零になる。Ｖｉｎ→Ｐ１→Ｑ１→Ｖｉｎと流れていた電流は、Ｖｉｎ→Ｐ１→Ｃ３→Ｖｉｎと流れて、コンデンサＣ３の電圧は上昇し、スイッチＱ１の電圧Ｑ１ｖが上昇し、１次巻線Ｐ１間の電圧は減少し、３次巻線Ｓ３間の電圧も減少することで、クランプダイオードＤ２０、Ｄ２３の電流も減少する。また、２次巻線Ｓ１の電圧も減少し、電圧Ｑ１１ｖが下降する。
【００９５】
期間Ｔ８の時刻ｔ７においてスイッチＱ１の電圧Ｑ１ｖがＶｉｎに達すると、１次巻線Ｐ１間の電圧は零ボルトになり、３次巻線Ｓ３間も零ボルトになり、クランプダイオードＤ２０、Ｄ２３の電流Ｄ２０ｉ，Ｄ２３ｉも零になる。また、２次巻線Ｓ１間の電圧も零ボルトになる。従って、電圧Ｑ１１ｖも零ボルトになる。スイッチＱ１の電圧Ｑ１ｖがさらに上昇すると、１次巻線Ｐ１間には巻き終りに正電位が印加され、３次巻線Ｓ３間も巻き終りが正電位が印加され、Ｓ３→Ｄ２２→Ｃ１０→Ｄ２１→Ｒ２０→Ｓ３と電流が流れて、クランプダイオードＤ２１、Ｄ２２が導通する。このため、電圧Ｄ２１ｖは略零ボルトになり、スイッチＱ１０がオフとなり、スイッチＱ１０に流れていた電流はダイオードＤ１０に転流する。また、電圧Ｄ２３ｖが略クランプ電圧になり、スイッチＱ１１がオンする。また、２次巻線Ｓ１間も巻き終りに正電位が印加され、時刻ｔ８においてスイッチＱ１の電圧Ｑ１ｖが（Ｖｉｎ＋Ｖｃ２）に達すると、１次巻線Ｐ１間の電圧はＶｃ２となり、２次巻線Ｓ１間の電圧はＶｃ２・（ｎ２／ｎ１）となる。
【００９６】
期間Ｔ８では、１次巻線Ｐ１は巻き終りを正電位とすると、零ボルトからＶｃ２の電圧まで変化し、２次巻線Ｓ１は巻き終りを正電位とすると、零ボルトから  Ｖｃ２・（ｎ２／ｎ１）の電圧まで変化する。従って、２次巻線Ｓ１間の電圧をＶＳ１(t)とすると、リーケージインダクタンスＬＳに流れる電流ＩＬＳ(t)は、時刻ｔ７においてリーケージインダクタンスＬＳに流れていた電流をＩＬＳ(t7)とすると、
ＩＬＳ(t)＝ＩＬＳ(t7)−（ＶＳ１(t)／ＬＳ）・ｔ      ・・・（１１）
と減少する。従って、リーケージインダクタンスＬＳの電流はダイオードＤ１０の電流と同じであるので、期間Ｔ８においてダイオードＤ１０の電流Ｄ１０ｉは減少する。また、ダイオードＤ１０の電流Ｄ１０ｉが減少した分、スイッチＱ１１の電流Ｑ１１ｉが増加する。期間Ｔ８では、トランスＴｃの２次側はＬ１→Ｃ１０→Ｄ１０→ＬＳ→Ｓ１→Ｌ１の電流とＬ１→Ｃ１０→Ｑ１１→Ｌ１の電流が流れて、前者の電流は式（１１）により減少し、減少した分、後者の電流は増加していく。
【００９７】
期間Ｔ９の時刻ｔ８においてコンデンサＣ３の充電が終了し、スイッチＱ１の電圧Ｑ１ｖは、略（Ｖｉｎ＋Ｖｃ２）であり、１次巻線Ｐ１間の電圧はＶｃ２であるので、２次巻線Ｓ１間の電圧ＶＳ１(t)はＶｃ２・（ｎ２／ｎ１）となる。このため、リーケージインダクタンスＬＳに流れる電流ＩＬＳ(t)は、時刻ｔ８においてリーケージインダクタンスＬＳに流れていた電流をＩＬＳ(ｔ８)とすると、
ＩＬＳ(t)＝ＩＬＳ(t8)−（ＶＳ１(t)／ＬＳ）・ｔ
＝ＩＬＳ(t8)−（Ｖｃ２・（ｎ２／ｎ１）／ＬＳ）・ｔ      ・・・（１２）
と減少し、減少した分、スイッチＱ１１の電流Ｑ１１ｉが増加する。時刻ｔ９において零になると、スイッチＱ１１の電流Ｑ１１ｉは平滑リアクトルＬ１の電流と等しくなる。
【００９８】
また、スイッチＱ２の電流Ｑ２ｉは２次巻線Ｓ１に流れる電流と巻数比で比例して流れるため、増加していき、時刻ｔ９において１次巻線Ｐ１の励磁電流となる。
【００９９】
また、Ｓ３→Ｄ２２→Ｃ１０→Ｄ２１→Ｒ２０→Ｓ３と流れている、ダイオードＤ２１、Ｄ２２の電流Ｄ２１ｉ、Ｄ２２ｉは、
Ｄ２１ｉ＝Ｄ２２ｉ＝（Ｖｃ２・（ｎ４／ｎ１）−Ｖout）／Ｒ２０
である。
【０１００】
期間Ｔ１０の時刻ｔ９においてダイオードＤ１０のリカバリ電流が減少すると、スイッチＱ１０の電圧Ｑ１０ｖは上昇する。電圧Ｑ１０ｖは、リーケージインダクタンスＬＳとダイオードＤ１０の接合容量やスイッチＱ１０の出力容量により振動するが、やがて減衰して、Ｖｃ２・（ｎ２／ｎ１）となる。この振動が大きくなっても、同期整流素子であるスイッチＱ１０、Ｑ１１を駆動している１次巻線Ｐ１に密結合した３次巻線Ｓ３は影響を受けないため、従来回路の動作波形（図１５）のように、スイッチＱ１１がオン／オフを繰り返してチャタリングを起こすこともない。
【０１０１】
このように、３次巻線Ｓ３に発生する電圧より低い電圧を供給するクランプ電圧源である出力電圧Ｖoutにより、３次巻線Ｓ３に発生する電圧をクランプダイオードＤ２０〜Ｄ２３でクランプし、クランプダイオードＤ２０〜Ｄ２３によりクランプされた電圧信号により同期整流素子であるスイッチＱ１０、Ｑ１１のゲートを駆動することにより、スイッチＱ１０のオン期間は、時刻ｔ４〜時刻ｔ６の範囲から時刻ｔ２〜時刻ｔ７の範囲に広くなり、スイッチＱ１０に電流Ｑ１０ｉが流れる期間が増える。また、スイッチＱ１１のオン期間は時刻ｔ９〜時刻ｔ１の範囲から時刻ｔ７〜時刻ｔ２の範囲に広くなり、スイッチＱ１１に電流Ｑ１１ｉが流れる期間が増える。従って、高効率な直流変換装置を構成できる。
【０１０２】
また、同期整流素子であるスイッチＱ１０、Ｑ１１と並列に接続した整流ダイオードＤ１０、Ｄ１１のリカバリ電流による振動で、スイッチＱ１０、Ｑ１１がオン／オフしてチャタリングを起こすこともなく、安定して同期整流素子を駆動することができる高効率な直流変換装置を構成できる。
【０１０３】
（クランプダイオードＤ２０をリカバリ電流の多いダイオードにした時の動作）
図３は図１の実施例１の直流変換装置においてクランプダイオードＤ２０をリカバリ電流の多いダイオードにした時の各部のタイミングチャートである。クランプダイオードＤ２０のリカバリ電流が多いため、クランプダイオードＤ２０にリカバリ電流が流れている期間、時刻ｔ７から時刻ｔ８ａの間は電圧Ｄ２１ｖは略クランプ電圧になる。このため、スイッチＱ１０のゲート信号のオフタイミングが時刻ｔ８ａまで遅れる。このため、スイッチＱ１０がオンしている期間が、図２に示す期間より更に広くなり、高効率な直流変換装置を構成できる。
【０１０４】
次に、クランプダイオードＤ２０にリカバリ電流の大きいダイオードを使用した時の直流変換装置の動作の詳細を図３を参照しながら説明する。
【０１０５】
なお、図３において時刻ｔ０以前、期間Ｔ１、期間Ｔ３、期間Ｔ４、期間Ｔ５、期間Ｔ６、期間Ｔ１０の動作は、図２に示すタイミングチャートにおける対応する期間における動作と同様であるので、ここでは、これらの期間の動作説明は省略し、期間Ｔ８〜Ｔ９の動作のみを説明する。
【０１０６】
まず、期間Ｔ８の時刻ｔ７においてスイッチＱ１の電圧Ｑ１ｖがＶｉｎに達すると、１次巻線Ｐ１間の電圧は零ボルトになり、３次巻線Ｓ３間も零ボルトになり、クランプダイオードＤ２０、Ｄ２３の電流も零になる。また、２次巻線Ｓ１間も零ボルトになる。従って、電圧Ｑ１１ｖも零ボルトになる。スイッチＱ１の電圧Ｑ１ｖがさらに上昇すると、１次巻線Ｐ１間には巻き終りに正電位が印加され、３次巻線Ｓ３間も巻き終りが正電位が印加される。
【０１０７】
しかし、クランプダイオードＤ２０はリカバリ電流が大きい素子を使用したことにより、クランプダイオードＤ２０にはリカバリ電流が流れているので、Ｓ３→Ｄ２２→Ｄ２０→Ｒ２０→Ｓ３と電流が流れる。従って、クランプダイオードＤ２２は導通し、電圧Ｄ２３ｖが略クランプ電圧になり、スイッチＱ１１がオンする。しかし、クランプダイオードＤ２０にリカバリ電流が流れているので、クランプダイオードＤ２１は導通せず、電圧Ｄ２１ｖはクランプ電圧で、スイッチＱ１０はオンのままである。また、２次巻線Ｓ１間も巻き終りに正電位が印加され、時刻ｔ８においてスイッチＱ１の電圧Ｑ１ｖが（Ｖｉｎ＋Ｖｃ２）に達すると、１次巻線Ｐ１間の電圧はＶｃ２となり、２次巻線Ｓ１間の電圧はＶｃ２・（ｎ２／ｎ１）となる。
【０１０８】
期間Ｔ８では、１次巻線Ｐ１は巻き終りを正電位とすると、零ボルトからＶｃ２の電圧まで変化し、２次巻線Ｓ１は巻き終りを正電位とすると、零ボルトから  Ｖｃ２・（ｎ２／ｎ１）の電圧まで変化する。従って、２次巻線Ｓ１間の電圧をＶＳ１(t)とすると、リーケージインダクタンスＬＳに流れる電流ＩＬＳ(t)は、時刻ｔ７においてリーケージインダクタンスＬＳに流れていた電流をＩＬＳ(t7)とすると、上式（１１）で減少する。従って、リーケージインダクタンスＬＳの電流はスイッチＱ１０の電流と同じであるので、期間Ｔ８においてスイッチＱ１０の電流Ｑ１０ｉは減少する。また、スイッチＱ１０の電流Ｑ１０ｉが減少した分、スイッチＱ１１の電流Ｑ１１ｉが増加する。期間Ｔ８では、トランスＴｃの２次側はＬ１→Ｃ１０→Ｑ１０→ＬＳ→Ｓ１→Ｌ１の電流とＬ１→Ｃ１０→Ｑ１１→Ｌ１の電流が流れて、前者の電流は式（１１）により減少し、減少した分、後者の電流は増加していく。
【０１０９】
期間Ｔ９の時刻ｔ８においてコンデンサＣ３の充電が終了し、スイッチＱ１の電圧Ｑ１ｖは、略（Ｖｉｎ＋Ｖｃ２）であり、１次巻線Ｐ１間の電圧はＶｃ２であるので、２次巻線Ｓ１間の電圧ＶＳ１(t)はＶｃ２・（ｎ２／ｎ１）となる。このため、リーケージインダクタンスＬＳに流れる電流ＩＬＳ(t)は、時刻ｔ８においてリーケージインダクタンスＬＳに流れていた電流をＩＬＳ(ｔ８)とすると、上式（１２）で減少する。
【０１１０】
時刻ｔ８ａにおいてクランプダイオードＤ２０のリカバリ電流がオフすると、クランプダイオードＤ２１が導通し、Ｓ３→Ｄ２２→Ｄ２０→Ｒ２０→Ｓ３と流れていた電流が、Ｓ３→Ｄ２２→Ｃ１０→Ｄ２１→Ｒ２０→Ｓ３と流れる。このため、電圧Ｄ２１ｖは略零ボルトになり、スイッチＱ１０がオフとなり、スイッチＱ１０に流れていた電流はダイオードＤ１０に転流する。式（１２）のリーケージインダクタンスＬＳに流れる電流ＩＬＳ(t)はスイッチＱ１０又はダイオードＤ１０の電流と同じであるので、式（１２）によりスイッチＱ１０又はダイオードＤ１０の電流が減少した分、スイッチＱ１１の電流Ｑ１１ｉが増加する。時刻ｔ９において零になると、スイッチＱ１１の電流Ｑ１１ｉは平滑リアクトルＬ１の電流と等しくなる。
【０１１１】
また、スイッチＱ２の電流Ｑ２ｉは２次巻線Ｓ１に流れる電流と巻数比で比例して流れるため、増加していき、時刻ｔ９において１次巻線Ｐ１の励磁電流となる。
【０１１２】
また、Ｓ３→Ｄ２２→Ｃ１０→Ｄ２１→Ｒ２０→Ｓ３と流れている、クランプダイオードＤ２１、Ｄ２２の電流Ｄ２１ｉ、Ｄ２２ｉは、
Ｄ２１ｉ＝Ｄ２２ｉ＝（Ｖｃ２・（ｎ４／ｎ１）−Ｖout）／Ｒ２０
である。
【０１１３】
このように、１次巻線Ｐ１に密結合した３次巻線Ｓ３により同期整流素子であるスイッチＱ１０、Ｑ１１を駆動し、図１に示す実施例１の直流変換装置のクランプダイオードＤ２０をリカバリ電流の多いダイオードにすると、クランプダイオードＤ２０のリカバリ電流が多いため、クランプダイオードＤ２０にリカバリ電流が流れている時刻ｔ７から時刻ｔ８ａの間は電圧Ｄ２１ｖは略クランプ電圧になる。このため、この略クランプ電圧が遅延信号となり、スイッチＱ１０のゲート信号のオフタイミングを時刻ｔ７から時刻ｔ８ａまで遅延させる。
【０１１４】
従って、スイッチＱ１０のオンしている時間が図２に示す期間より更に広くなる。このため、従来の方法より、スイッチＱ１０のオン期間は時刻ｔ４〜時刻ｔ６の範囲から時刻ｔ２〜時刻ｔ８ａの範囲と広くなり、同期整流素子であるスイッチＱ１０に電流が流れる期間が増える。
【０１１５】
（クランプダイオードＤ２０、Ｄ２２をリカバリ電流の多いダイオードにした時の動作）
図４は図１の実施例１の直流変換装置においてクランプダイオードＤ２０、Ｄ２２をリカバリ電流の多いダイオードにした時の各部のタイミングチャートである。クランプダイオードＤ２０、Ｄ２２のリカバリ電流が多いため、クランプダイオードＤ２０にリカバリ電流が流れている時刻ｔ７から時刻ｔ８ａの間は電圧Ｄ２１ｖは略クランプ電圧（遅延信号）になり、クランプダイオードＤ２２にリカバリ電流が流れている時刻ｔ２から時刻ｔ３ａの間は電圧Ｄ２３ｖが略クランプ電圧（遅延信号）になる。
【０１１６】
このため、スイッチＱ１０のゲート信号のオフタイミングが時刻ｔ７から時刻ｔ８ａまで遅れ、スイッチＱ１１のゲート信号のオフタイミングは時刻ｔ２から時刻ｔ３ａまで遅れるので、スイッチＱ１０、Ｑ１１のオンしている期間が図１に示すものより更に広くなり、高効率な直流変換装置を構成できる。
【０１１７】
なお、リカバリ電流の多いクランプダイオードＤ２２の動作もリカバリ電流の多いクランプダイオードＤ２０の動作と同様であるので、ここでは、その動作説明は省略する。
【実施例２】
【０１１８】
図５は実施例２の直流変換装置の回路構成図である。図５に示す実施例２は、クランプダイオードＤ２０とクランプダイオードＤ２１との接続点と同期整流素子であるスイッチＱ１０のゲートとの間にトランジスタＱ２０、Ｑ２１からなる第１のバッファ回路を設け、クランプダイオードＤ２２とクランプダイオードＤ２３との接続点と同期整流素子であるスイッチＱ１１のゲートとの間にトランジスタＱ２２、Ｑ２３からなる第２のバッファ回路を設けたことを特徴とする。
【０１１９】
トランジスタＱ２０は、ベースがクランプダイオードＤ２０とクランプダイオードＤ２１との接続点に接続され、コレクタが出力電圧Ｖoutに接続され、エミッタがスイッチＱ１０のゲートに接続されている。トランジスタＱ２１は、ベースがクランプダイオードＤ２０とクランプダイオードＤ２１との接続点に接続され、コレクタがスイッチＱ１０のソース及びクランプダイオードＤ２１のアノードに接続され、エミッタがスイッチＱ１０のゲートに接続されている。
【０１２０】
トランジスタＱ２２は、ベースがクランプダイオードＤ２２とクランプダイオードＤ２３との接続点に接続され、コレクタが出力電圧Ｖoutに接続され、エミッタがスイッチＱ１１のゲートに接続されている。トランジスタＱ２３は、ベースがクランプダイオードＤ２２とクランプダイオードＤ２３との接続点に接続され、コレクタがスイッチＱ１１のソース及びクランプダイオードＤ２３のアノードに接続され、エミッタがスイッチＱ１１のゲートに接続されている。
【０１２１】
クランプダイオードＤ２０、Ｄ２１、Ｄ２２、Ｄ２３を接続した場合の動作波形は図２に示すような動作波形となり、その動作は図１及び図２で説明した動作と同一であるので、その動作の説明は省略する。
【０１２２】
なお、図５に示す直流変換装置のクランプダイオードＤ２０を取除いても良い。この場合には、３次巻線Ｓ３の巻き始めが正電位でスイッチＱ１０がオンし、スイッチＱ１１がオフの時に３次巻線Ｓ３を流れる電流は、Ｓ３→Ｒ２０→Ｑ２０（ベース）→Ｑ２０（コレクタ）→Ｃ１０→Ｄ２３→Ｓ３と流れる。
【０１２３】
従って、トランジスタＱ２０のベースからコレクタのＰＮ接合に電流が流れているので、リカバリが遅くクランプダイオードＤ２０にリカバリ電流の多いダイオードを使用した場合と同じになる。このため、動作波形は図３に示す波形と同一となり、クランプダイオードＤ２０の電流Ｄ２０ｉがトランジスタＱ２０のベース−コレクタ間のＰＮ接合のダイオードの電流Ｉbc（Ｑ２０）に変更されるだけである。このため、動作は、図３の説明と同一となるので、詳細説明は省略する。
【０１２４】
また、図５に示す実施例２では、バッファ回路が追加されているので、このバッファ回路により大きな同期整流素子であるスイッチＱ１０、Ｑ１１を駆動可能となる。
【０１２５】
また、図５において、クランプダイオードＤ２０、Ｄ２２を取り除いても良い。このた場合には、クランプダイオードＤ２０、Ｄ２２をリカバリ電流の多いダイオードにした時と同じ動作になり、動作波形は図４に示す動作波形と同一である。この場合、クランプダイオードＤ２０の電流Ｄ２０ｉがトランジスタＱ２０のベース−コレクタ間のＰＮ接合のダイオード電流Ｉbc（Ｑ２０）に変更され、クランプダイオードＤ２２の電流Ｄ２２ｉがトランジスタＱ２２のベース−コレクタ間のＰＮ接合のダイオードの電流Ｉbc（Ｑ２２）に変更されるだけである。このため、動作は、図４の説明と同一となるので、詳細説明は省略する。
【実施例３】
【０１２６】
図６は実施例３の直流変換装置の回路構成図である。図６に示す直流変換装置において、図１２に示す従来の直流変換装置に対して異なる部分についてのみ説明する。
【０１２７】
トランスＴｄは、１次巻線Ｐ１（巻数ｎ１）と、この１次巻線Ｐ１と著しく疎結合した第１の２次巻線Ｓ１（巻数ｎ２）と、１次巻線Ｐ１と疎結合した第２の２次巻線Ｓ２（巻数ｎ３）と、１次巻線Ｐ１と密結合した３次巻線Ｓ３（巻数ｎ４）を有している。３次巻線Ｓ３には抵抗Ｒ２０が直列に接続されている。平滑コンデンサＣ１０の両端には、クランプダイオードＤ２０とクランプダイオードＤ２１との直列回路が接続されるとともに、クランプダイオードＤ２２とクランプダイオードＤ２３との直列回路が接続されている。抵抗Ｒ２０の一端は、クランプダイオードＤ２０とクランプダイオードＤ２１との接続点に接続されると共にバッアァ回路ＢＵＦ２０を介してスイッチＱ１０のゲートに接続されている。３次巻線Ｓ３の一端は、クランプダイオードＤ２２とクランプダイオードＤ２３との接続点に接続されると共にバッファ回路ＢＵＦ２１を介してスイッチＱ１１のゲートに接続されている。抵抗Ｒ２０の他端は、３次巻線Ｓ３の他端に接続されている。
【０１２８】
スイッチＱ１がオンの時にスイッチＱ１０がオンするように３次巻線Ｓ３の巻き始め側を抵抗Ｒ２０及びバッファ回路ＢＵＦ２０を介してスイッチＱ１０のゲートに接続し、スイッチＱ１がオフの時にスイッチＱ１１がオンするように３次巻線Ｓ３の巻き終り側をバッファ回路ＢＵＦ２１を介してスイッチＱ１１のゲートに接続する。
【０１２９】
平滑コンデンサＣ１０の出力電圧Ｖoutは、３次巻線Ｓ３に発生する電圧より低いクランプ電圧源を構成している。図６では、３次巻線Ｓ３に発生する電圧より出力電圧Ｖoutが低い場合であるが、クランプ電圧源として例えば、別電源を用いてもよい。
【０１３０】
クランプダイオードＤ２０、Ｄ２１、Ｄ２２、Ｄ２３は、３次巻線Ｓ３に発生する巻線電圧を電圧源である出力電圧Ｖoutでクランプする。抵抗Ｒ２０は巻線電圧がクランプ電圧によりクランプされたときにダイオードに流れるクランプ電流を制限する抵抗である。
【０１３１】
また、クランプダイオードＤ２０、Ｄ２１、Ｄ２２、Ｄ２３のリカバリ電流を利用し、クランプダイオードＤ２０、Ｄ２１、Ｄ２２、Ｄ２３によりクランプされた電圧信号により同期整流素子であるスイッチＱ１０、Ｑ１１のゲートを駆動し、同期整流素子のオン期間を増やし、同期整流の効率を向上するようになっている。具体的には、クランプダイオードＤ２０、Ｄ２１でクランプされた信号Ｄ２１ｖがスイッチＱ１０を駆動する駆動信号であり、クランプダイオードＤ２２、Ｄ２３でクランプされた信号Ｄ２３ｖがスイッチＱ１１を駆動する駆動信号である。
【０１３２】
また、３次巻線Ｓ３で同期整流素子を駆動することで、同期整流素子と並列に接続した整流ダイオードのリカバリ電流による振動で、同期整流素子がオン／オフしてチャタリングを起こすことなく、安定して同期整流素子を駆動でき、高効率化を図るようになっている。
【０１３３】
３次巻線Ｓ３は１次巻線Ｐ１と密結合されているので、１次巻線Ｐ１の電圧波形と同じ電圧波形となる。従って、同期整流素子のオン期間を増やし、同期整流の効率を向上し、また、１次巻線Ｐ１に密結合された３次巻線Ｓ３で同期整流素子であるスイッチＱ１０、Ｑ１１を駆動することで、同期整流素子と並列に接続した整流ダイオードＤ１０、Ｄ１１のリカバリ電流による振動で、同期整流素子がオン／オフしてチャタリングを起こすこともなく、安定して同期整流素子を駆動することができ、高効率な直流変換装置が構成できる。
【０１３４】
なお、図６に示す直流変換装置では、図１２に示す直流変換装置に対して、ＣＲスナバ回路（抵抗Ｒ２０、Ｒ２１、コンデンサＣ２０、Ｃ２１）が削除されている。
【０１３５】
（トランスの構成）
図７は実施例３の直流変換装置に設けられたトランスの構造図である。図８は図７に示すトランスの等価回路図である。図７に示すトランスＴｄは、日の字型のコア３０を有し、コア３０のコア部３０ａには、１次巻線Ｐ１及び３次巻線Ｓ３と第２の２次巻線Ｓ２とが近接して巻回されている。これにより、１次巻線Ｐ１及び３次巻線Ｓ３と第２の２次巻線Ｓ２間にわずかなリーケージインダクタンス（図８のＬＳに対応）を持たせている。また、コア３０にはパスコア３０ｃとギャップ３１が形成され、外周コアには第１の２次巻線Ｓ１が巻回されている。即ち、パスコア３０ｃにより、１次巻線Ｐ１と第１の２次巻線Ｓ１を著しく疎結合させることにより、リーケージインダクタンス（図８のＬ１に対応）を大きくしている。
【０１３６】
また、外周コア上で且つ１次巻線Ｐ１と第１の２次巻線Ｓ１との間に、凹部３０ｂが１箇所形成されている。この凹部３０ｂにより、コアの磁路の一部の断面積が他の部分よりも狭くなり、その部分のみが飽和するので、コア損失を低減できる。また、この飽和する部分を可飽和リアクトル（図８のＬＨに対応）として兼用している。即ち、第１の２次巻線Ｓ１を巻回しているコア３０の一部を凹とすることで、第１の２次巻線Ｓ１を巻回しているコア３０の一部を飽和させて励磁電流を増加させ、電圧共振をさせている。
【０１３７】
なお、図９に実施例３の直流変換装置の各部における信号のタイミングチャートを示す。実施例３の基本的な動作は、図１２に示す従来の直流変換装置の動作と同様であるが、３次巻線Ｓ３及びクランプダイオードＤ２０〜Ｄ２３の動作は、図１に示す直流変換装置の動作と同様であるので、ここでは、その詳細な説明は省略する。
【０１３８】
また、クランプダイオードＤ２０をリカバリ電流の多いダイオードにした時の動作波形も図３に示すような波形になり、クランプダイオードＤ２０のリカバリ電流が多いため、クランプダイオードＤ２０にリカバリ電流が流れている時刻ｔ７から時刻ｔ８ａの間はバッファ回路ＢＵＦ２０の電圧Ｂ２０ｖは略クランプ電圧になる。このため、スイッチＱ１０のゲート信号のオフタイミングが時刻ｔ８ａまで遅れる。従って、スイッチＱ１０のオンしている期間が図２に示すものより更に広くなり、高効率な直流変換装置を構成できる。
【０１３９】
また、クランプダイオードＤ２０、Ｄ２２をリカバリ電流の多いダイオードにしたときの動作波形は図４のようになり、クランプダイオードＤ２０、Ｄ２２のリカバリ電流が多いため、クランプダイオードＤ２０にリカバリ電流が流れている時刻ｔ７から時刻ｔ８ａの間はバッアァ回路ＢＵＦ２０の電圧Ｂ２０ｖは略クランプ電圧になる。クランプダイオードＤ２２にリカバリ電流が流れている時刻ｔ２から時刻ｔ３ａの間はバッアァ回路ＢＵＦ２１の電圧Ｂ２１ｖは略クランプ電圧になる。このため、スイッチＱ１０のゲート信号のオフタイミングが時刻ｔ８ａまで遅れ、スイッチＱ１１のゲート信号のオフタイミングは時刻ｔ３ａまで遅れるので、スイッチＱ１０、Ｑ１１のオンしている期間が図２に示すものより更に広くなり、高効率な直流変換装置を構成できる。
【０１４０】
なお、バッファ回路ＢＵＦ２１、ＢＵＦ２０を図５に示すようなトランジスタからなるバッファ回路を用いて、クランプダイオードＤ２０を取除いても良い。この場合には、３次巻線Ｓ３の巻き始めが正電位でスイッチＱ１０がオン、スイッチＱ１１がオフの時に３次巻線Ｓ３を流れる電流は、Ｓ３→Ｒ２０→Ｑ２０（ベース）→Ｑ２０（コレクタ）→Ｃ１０→Ｄ２３→Ｓ３と流れる。
【０１４１】
従って、トランジスタＱ２０のベースからコレクタのＰＮ接合に電流が流れているので、リカバリが遅くクランプダイオードＤ２０にリカバリ電流の多いダイオードを使用した場合と同じになる。このため、動作波形は図３と同一波形となる。また、バッファ回路が追加されているので、大きな同期整流素子を駆動可能になる。
【０１４２】
さらに、クランプダイオードＤ２０、Ｄ２２を取り除ても良い。この場合には、クランプダイオードＤ２０とクランプダイオードＤ２２をリカバリ電流の多いダイオードにした時と同じ動作になり、動作波形は図４と同じ波形となる。
【産業上の利用可能性】
【０１４３】
本発明は、ＤＣ−ＤＣコンバータ、ＡＣ−ＤＣコンバータ等のスイッチング電源装置に適用可能である。
【図面の簡単な説明】
【０１４４】
【図１】実施例１の直流変換装置の回路構成図である。
【図２】実施例１の直流変換装置の各部における信号のタイミングチャートである。
【図３】実施例１の直流変換装置においてクランプダイオードＤ２０をリカバリ電流の多いダイオードにした時の各部のタイミングチャートである。
【図４】実施例１の直流変換装置においてクランプダイオードＤ２０、Ｄ２２をリカバリ電流の多いダイオードにした時の各部のタイミングチャートである。
【図５】実施例２の直流変換装置の回路構成図である。
【図６】実施例３の直流変換装置の回路構成図である。
【図７】実施例３の直流変換装置に設けられたトランスの構造図である。
【図８】図７に示すトランスの等価回路図である。
【図９】実施例３の直流変換装置の各部における信号のタイミングチャートである。
【図１０】従来の直流変換装置の例１の回路構成図である。
【図１１】従来の直流変換装置の例１の各部における信号のタイミングチャートである。
【図１２】従来の直流変換装置の例２の回路構成図である。
【図１３】従来の直流変換装置の例２のトランスの構造図である。
【図１４】図１３に示すトランスの等価回路図である。
【図１５】従来の直流変換装置の例２の各部における信号のタイミングチャートである。
【図１６】従来の直流変換装置の例２の各部における信号のタイミングチャートである。
【符号の説明】
【０１４５】
１１  制御回路
１３  ローサイドドライバ
１５  ハイサイドドライバ
５０  負荷
Ｑ１，Ｑ２，Ｑ１０，Ｑ１１  スイッチ
Ｑ２０〜Ｑ２３  トランジスタ
Ｔａ〜Ｔｄ  トランス
Ｐ１  １次巻線
Ｓ１  第１の２次巻線
Ｓ２  第２の２次巻線
Ｓ３  ３次巻線
Ｌ１  平滑リアクトル
ＬＳ  リーケージインダクタンス
ＬＨ  可飽和リアクトル
Ｄ１，Ｄ２，Ｄ１０，Ｄ１１  ダイオード
Ｄ２０〜Ｄ２３  クランプダイオード
Ｃ２，Ｃ３，Ｃ１０，Ｃ２０，Ｃ２１  コンデンサ
Ｒ２０，Ｒ２１  抵抗  
３０  コア
３０ａ  コア部
３０ｂ  凹部
３１  ギャップ
【図１】
2006238648.tif 000003
【図２】
2006238648.tif 000004
【図３】
2006238648.tif 000005
【図４】
2006238648.tif 000006
【図５】
2006238648.tif 000007
【図６】
2006238648.tif 000008
【図７】
2006238648.tif 000009
【図８】
2006238648.tif 000010
【図９】
2006238648.tif 000011
【図１０】
2006238648.tif 000012
【図１１】
2006238648.tif 000013
【図１２】
2006238648.tif 000014
【図１３】
2006238648.tif 000015
【図１４】
2006238648.tif 000016
【図１５】
2006238648.tif 000017
【図１６】
2006238648.tif 000018